【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
複数のページで構成されるブックデータを作成する情報処理装置であって、
各ページに対し、１つ又は複数の画像が配置され、それぞれ異なる態様を有する複数のページ候補が含まれた、複数のページで構成される候補ブックデータを、登録ユーザ装置から受信する受信手段と、
前記候補ブックデータを構成する各ページに含まれる複数のページ候補を、閲覧ユーザ装置へ送信する送信手段と、
前記閲覧ユーザ装置から、前記候補ブックデータを構成するページ毎に、前記閲覧ユーザ装置に送信した複数のページ候補の１つの指定を受け付ける受付手段と、
前記受付手段で指定を受け付けた複数のページ候補で構成されるブックデータを作成する作成手段とを備え、
前記送信手段は、前記閲覧ユーザ装置に送信する、前記候補ブックデータを構成する各ページに含まれる複数のページ候補のうち、前記受付手段によって既に指定を受け付けているページ候補がある場合には、当該複数のページ候補に加え、前記既に指定を受け付けているページ候補の通知を前記閲覧ユーザ装置に送信することを特徴とする情報処理装置。
【請求項２】
前記登録ユーザ装置からの指示に従い、前記候補ブックデータの各ページに含まれる複数のページ候補の各々に対し、前記閲覧ユーザ装置での利用可否を設定する設定手段をさらに備え、
前記送信手段は、前記閲覧ユーザ装置に対し、前記閲覧ユーザ装置での利用の許可が設定されているページ候補のみを送信することを特徴とする請求項１に記載の情報処理装置。
【請求項３】
複数の画像を記憶する記憶手段をさらに備え、
前記候補ブックデータの各ページに含まれる複数のページ候補に配置される画像は、前記記憶手段に記憶された画像であることを特徴とする請求項１または２に記載の情報処理装置。
【請求項４】
複数のページで構成されるブックデータを作成する情報処理装置の制御方法であって、
受信手段が、各ページに対し、１つ又は複数の画像が配置され、それぞれ異なる態様を有する複数のページ候補が含まれた、複数のページで構成される候補ブックデータを、登録ユーザ装置から受信する受信工程と、
送信手段が、前記候補ブックデータを構成する各ページに含まれる複数のページ候補を、閲覧ユーザ装置へ送信する送信工程と、
受付手段が、前記閲覧ユーザ装置から、前記候補ブックデータを構成するページ毎に、前記閲覧ユーザ装置に送信した複数のページ候補の１つの指定を受け付ける受付工程と、
作成手段が、前記受付工程で指定を受け付けた複数のページ候補で構成されるブックデータを作成する作成工程とを備え、
前記送信工程において、前記閲覧ユーザ装置に送信する、前記候補ブックデータを構成する各ページに含まれる複数のページ候補のうち、前記受付工程によって既に指定を受け付けているページ候補がある場合には、当該複数のページ候補に加え、前記既に指定を受け付けているページ候補の通知を前記閲覧ユーザ装置に送信することを特徴とする情報処理装置の制御方法。
【請求項５】
コンピュータに請求項４に記載の情報処理装置の制御方法の各工程を実行させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】情報処理装置、情報処理装置の制御方法、及び記録媒体
【手続補正３】
【補正対象書類名】明細書
【補正対象項目名】００１０
【補正方法】変更
【補正の内容】
【００１０】
上記の目的を達成するため、本発明の実施形態における情報処理装置は、
複数のページで構成されるブックデータを作成する情報処理装置であって、
各ページが、１つ又は複数の画像が配置された、それぞれが異なる態様の複数のページ候補を有する、複数のページで構成される候補ブックデータを、登録ユーザ装置から受信する受信手段と、
前記候補ブックデータの各ページが有する複数のページ候補を、閲覧ユーザ装置へ送信する送信手段と、
前記閲覧ユーザ装置から、前記候補ブックデータの各ページ毎に、該ページが有する複数のページ候補のうち、ユーザによって指定された１つのページ候補の情報を受け付ける受付手段と、
前記受付手段で受け付けた、複数のページ候補で構成される前記ブックデータを作成する作成手段とを備え、
前記送信手段は、前記候補ブックデータのページが有する複数のページ候補のうち、他のページで既にユーザによって指定されたページ候補がある場合、該ページ候補の通知とともに前記候補ブックデータのページが有する複数のページ候補を送信することを特徴とする。
【手続補正４】
【補正対象書類名】明細書
【補正対象項目名】００１１
【補正方法】変更
【補正の内容】
【００１１】
上記の目的を達成するため、本発明の実施形態における情報処理装置の制御方法は、
複数のページで構成されるブックデータを作成する情報処理装置の制御方法であって、
各ページが、１つ又は複数の画像が配置された、それぞれが異なる態様の複数のページ候補を有する、複数のページで構成される候補ブックデータを、登録ユーザ装置から受信する受信工程と、
前記候補ブックデータの各ページが有する複数のページ候補を、閲覧ユーザ装置へ送信する送信工程と、
前記閲覧ユーザ装置から、前記候補ブックデータの各ページ毎に、該ページが有する複数のページ候補のうち、ユーザによって指定された１つのページ候補の情報を受け付ける受付工程と、
前記受付工程で受け付けた、複数のページ候補で構成される前記ブックデータを作成する作成工程とを備え、
前記送信工程において、前記候補ブックデータのページが有する複数のページ候補のうち、他のページで既にユーザによって指定されたページ候補がある場合、該ページ候補の通知とともに前記候補ブックデータのページが有する複数のページ候補を送信することを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
閲覧許可を受けた閲覧ユーザが自由に内容を選択してブックデータを作成することができる。
【手続補正７】
【補正対象書類名】明細書
【補正対象項目名】００１５
【補正方法】変更
【補正の内容】
【００１５】
１０２Ａ、１０２Ｂは、登録ユーザ及び閲覧ユーザが操作するパーソナルコンピュータ（以下ＰＣとする）である。特に、ＰＣ１０２Ａは登録ユーザが使用し、ＰＣ１０２Ｂは閲覧ユーザが使用する。また１０３は、画像入力装置１０１で取得された画像データをＰＣ１０２Ａへ転送するためのデータ転送用インターフェースを示す。データ転送用インターフェース１０３は、例えばＵＳＢ（Universal Serial Bus）やＩＥＥＥ１３９４に代表される有線インターフェースである。あるいは、ＩｒＤＡ、ブルートゥース（Bluetooth）で代表される無線インターフェースである。勿論、上記以外の有線、又は無線インターフェースも使用可能である。
【手続補正８】
【補正対象書類名】明細書
【補正対象項目名】００６０
【補正方法】変更
【補正の内容】
【００６０】
３０９はＨＤＤである。例えば、ＨＤＤ３０９には、本願のブックデータ作成装置の実施形態に係る各種の制御プログラムが格納される。これらの制御プログラムにより、コンテンツサイト１０５の動作が制御される。３１１はネットワークインタフェースであり、他の装置、例えばＰＣ１０２Ａ、ＰＣ１０２Ｂやプリンタ等の外部装置とインターネット１０４を介して通信を行うことが可能である。３１２はバスであり、アドレスバス、データバス及びコントロールバスを含む。ＣＰＵ３０６に対する制御プログラムの提供は、ＲＯＭ３０７、ＨＤＤ３０９から行うことも可能であるし、ネットワークインタフェース３１１を介してインターネット１０４経由で他の外部装置等から行うことも可能である。
【手続補正９】
【補正対象書類名】図面
【補正対象項目名】図１１
【補正方法】変更
【補正の内容】
【図１１】
2008097150.tif 000001